(57)【要約】【課題】テンション装置の巻胴の両側部に広幅の制動部を設け、バンドブレーキとの接触面積を増大し、摩擦抵抗を高め、制動力を強化して所定のテンションを付加せしめウインチに巻回されるワイヤロープを固くしっかり整列状態で巻回して乱巻の発生を防止するワイヤロープのテンション装置を提供する。【解決手段】ワイヤロープＲを巻いたドラムＤと、そのドラムＤからワイヤロープＲを引き出して巻き取るウインチＷ等との間に配置され、ワイヤロープＲの途中部を巻胴２に数回巻回してウインチＷ等への巻き込み張力を一定に保持するワイヤロープのテンション装置１であって、巻胴２の幅方向の中央部が谷底３となる小径部に形成する。両側のフランジ４，４に向かって漸次拡大する傾斜面５に形成する。両側フランジ４，４の外側面を制動部６，６とする。バンドブレーキ７，７を巻き付ける。【選択図】図５
2007191233.tif 000002
【特許請求の範囲】
【請求項１】
ワイヤロープを巻いたドラムと、そのドラムからワイヤロープを引き出して巻き取るウインチ等との間に配置され、ワイヤロープの途中部を巻胴に数回巻回してウインチ等への巻き込み張力を一定に保持するワイヤロープのテンション装置であって、巻胴の幅方向の中央部が谷底となる小径部に形成すると共に、両側のフランジに向かって漸次拡大する傾斜面に形成し、両フランジの外側面を制動部とし、バンドブレーキを巻き付けるように構成したことを特徴とするワイヤロープのテンション装置。
【請求項２】
制動部が巻胴幅の約１／２の広幅に形成してある請求項１に記載のワイヤロープのテンション装置。
【請求項３】
バンドブレーキの端部にターンバックルを設けてある請求項１または２に記載のワイヤロープのテンション装置。
【請求項４】
テンション装置の引き込み側にワイヤロープのガイド装置を設けてある請求項１〜３のいずれか１項に記載のワイヤロープのテンション装置。
【発明の詳細な説明】
【技術分野】
【０００１】
本発明は、クレーン・ホイストのドラムや船舶のウインチリールなどにワイヤロープを巻き込む際に、一定の張力を付与するワイヤロープのテンション装置に関するものである。
【背景技術】
【０００２】
従来から、クレーン・ホイストのドラムや船舶の各種のウインチリールなどに新しいワイヤロープを巻き替える際には、ドラムに巻かれた新しいワイヤロープの先端をウインチのドラムに結着させてウインチの回転力で巻き取っているが、その巻き取りの際、ワイヤロープに張力をかけてウインチのドラムにきっちりと詰めた状態で整列させて固く巻き取ることが要求される。
【０００３】
すなわち、ワイヤロープに充分な張力をかけないと巻き込みがスムーズにいかないばかりか、巻き乱れが生じやすくなる。また、多重層巻回すると上層のワイヤロープが下層のワイヤロープに割り込みロープの乱巻きや損傷が生じると言った問題があった。
【０００４】
そのような問題を解決するものとして、例えば、ワイヤロープを巻き込んだドラムとウインチとの間に、ボラードや杭を立て、それを介して巻き込むことが行われていた。この場合にはロープに癖がついたり、傷が生じたりすると共にウインチ側での張力の調整ができないと言った問題点があった。
【０００５】
上記のような問題点を解消するものとして、例えば、ワイヤロープを巻回するドラムの直径を、中央部から両側のフランジ部にかけて漸増するように湾曲させ、該ドラムに所定の摩擦力を付加するブレーキを設けると共に、該ドラムの軸にクラッチを介して回転力を付与するモーターを取り付け、さらに、一方のフランジ部の内側にクランプを設けて、動力でワイヤロープをドラムに巻回するワイヤロープのプリテンション装置が提案されている。（特許文献１参照）
【特許文献１】実開平６−３９８８５号公報
【発明の開示】
【発明が解決しようとする課題】
【０００６】
しかしながら、上記の特許文献１のプリテンション装置は、ブレーキによってドラムの回転に負荷を与えることにより、ワイヤロープに張力を付加するのであるが、ブレーキは一方のフランジの外面に設けられていて、フランジ面に摺接してブレーキをかけるため制動力が弱く、所定のテンションを付加できなくなり、ウインチのドラムにワイヤロープを固くしっかり整列させて巻き取ることができないと言った問題点があった。
【０００７】
本発明は、上記のような問題点を解決することを課題として研究開発されたもので、テンション装置の巻胴の両側部に広幅の制動部を設け、バンドブレーキとの接触面積を増やし、摩擦抵抗を増大して制動力を強化して、所定のテンションを付加せしめてウインチに巻かれるワイヤロープを固くしっかり整列状態で巻回して乱巻の発生を防止するワイヤロープのテンション装置を提供することを目的とするものである。
【課題を解決するための手段】
【０００８】
上記の課題を解決し、その目的を達成する手段として、本発明では、ワイヤロープを巻いたドラムと、そのドラムからワイヤロープを引き出して巻き取るウインチ等との間に配置され、ワイヤロープの途中部を巻胴に数回巻回してウインチ等への巻き込み張力を一定に保持するワイヤロープのテンション装置であって、巻胴の幅方向の中央部が谷底となる小径部に形成すると共に、両側のフランジに向かって漸次拡大する傾斜面に形成し、両フランジの外側面を制動部とし、バンドブレーキを捲き付けるように構成したことを特徴とするワイヤロープのテンション装置を開発し、採用した。
【０００９】
また、上記のように構成したワイヤロープのテンション装置において、制動部が巻胴幅の約１／２の広幅に形成してあるワイヤロープのテンション装置、およびバンドブレーキの端部にターンバックルを設けてあるワイヤロープのテンション装置、およびテンション装置の引き込み側にワイヤロープのガイド装置を設けてあるワイヤロープのテンション装置を開発し、採用した。
【発明の効果】
【００１０】
本発明に係るワイヤロープのテンション装置は、ワイヤロープを巻いたドラムと、そのドラムからワイヤロープを引き出して巻き取るウインチ等との間に配置されるテンション装置の巻胴の両側部に形成された広幅の制動部にバンドブレーキを巻き付けてあるから、巻胴の左右でバランスよくブレーキがかかり巻胴の回転を制御して巻胴とワイヤロープとの摩擦が増加する。それと相俟って、巻胴の中央部が両側部より小径となっているため、数回巻回させたワイヤロープＲはウインチＷの引張力が作用して中央部に集中し、巻回させた互いに隣接するワイヤロープＲ同士が強固に接触して制動作用が働き、ウインチへの巻き込み時の張力を一定とし、固くしっかりとした整列状態で巻き取ることができる。また、ウインチの引張力を巻胴で受けてワイヤロープを巻いてあるドラム側にウインチの引張力が直接伝わらなくなり、そのためにワイヤロープを巻いてあるドラムの下層に食い込むようなことがなく、またドラムのワイヤロープが乱巻きしたりすることがない。
【００１１】
さらに、バンドブレーキの端部にターンバックルを設けてあるから、バンドブレーキの締め具合を調整できる便利性があると共に、テンション装置の引き込み側にロープガイドを設けてあるから、テンション装置に真っ直ぐに導入できる。
【発明を実施するための最良の形態】
【００１２】
以下に、本発明の第１実施の形態を添付図面に基づいて説明すれば、図１はテンション装置の正面図、図２は側面図、図３は平面図、図４は巻胴の一部拡大平面図、図５は使用状態の説明図である。
【００１３】
図５に示すように、テンション装置１は、ワイヤロープＲを巻いたドラムＤの近い位置で、そのドラムＤからワイヤロープＲを引き出して巻き取るウインチＷとの間に配設され、巻胴２にワイヤロープＲの途中部が数回巻きつけられ、ワイヤロープＲのウインチＷへの巻き込み時に張力を一定に保持される。
【００１４】
そのテンション装置１は、図２、図３に示すように、幅方向の中央部が谷底３となる小径部になっており、その谷底３から両側のフランジ部４，４に向かって７５度の傾斜角で漸次拡大する傾斜面５，５を有する巻胴２と、その巻胴２の両側フランジ部４，４の外周面に設けた制動部６，６に巻きつけたバンドブレーキ７，７とで構成されている。制動部６の幅は巻胴２の幅の約１／２幅と広くなっている。このテンション装置１は、基台フレーム８と一体的に固着した支持台９，９の上部に設けた軸受け部１０，１０に回転軸１１が挿通され巻胴２が回転可能になっている。
【００１５】
バンドブレーキ７は、内面を摩擦係数の高い合成樹脂製や皮革製とし、外面を鋼製としてリベットで接合された帯状体で、制動部６の外周面に沿って略３／４周添接し、一端部を巻胴２の側方部から垂直に下ろし、その先に取付けたターンバックル１２と結合する連結具１３を基台フレーム８に結着してある。また、他端部は巻胴２の下方部からやや下向きにして連結具１３で基台フレーム８に結着してある。
【００１６】
１４はテンション装置１の引き込み側に設けたワイヤロープＷのガイド装置であり、このガイド装置１４は左右方向移動自在になっていてワイヤロープＷの巻かれたドラムＤからテンション装置１に真っ直ぐ導入させるものであり、前後２個の縦ロールと左右２個の横ロールとで構成されており、その縦ロールと横ロールに挟まれて導入されるようになっている。このガイド装置１４はワイヤロープＷの径に応じて縦ロールと横ロールの間隔を調整して使用できるようになっている。
【００１７】
このように構成された本発明のワイヤロープのテンション装置の使用状態を作用効果と共に説明すると、ワイヤロープＲ巻いたドラムＤと、そのワイヤロープＲを引き出して巻き取るウインチＷとの間にテンション装置１を配置するが、テンション装置１はワイヤロープＲを巻いたドラムＤの近くに設置して、左右方向に移動自在のガイド装置１４を介してワイヤロープＷを真っ直ぐにテンション装置１に導入される。ワイヤロープＲはこのガイド装置１４の前後２個の縦ロールと左右２個の横ロールに挟まってスムーズに導入される。
【００１８】
ワイヤロープＲを巻いたドラムＤには図示していないが、適度なブレーキがかかる装置を付設してあり、ドラムＤからワイヤロープＷが常に一定の張力でテンション装置１に入るようにするのが望ましい。
【００１９】
テンション装置１の巻胴２へのワイヤロープＲの巻回数は、ウインチへの巻き込み張力によって調整するが、数回巻回すればよく、その巻胴２への巻きつけは、ドラムＤ側から見てＺ撚りのロープの場合は中心より右側へ、Ｓ撚りのロープの場合は左側ヘ巻きつけることによりワイヤロープＲの巻きつけを円滑にする。
【００２０】
テンション装置１よりウインチＷへの巻き込みは、ワイヤロープＲがウインチＷに真っ直ぐに導入するようにするのが望ましいが、真っ直ぐに設置できない場合は、シーブ等を使用して、ウインチＷへ真っ直ぐにワイヤロープＲが繰り出せるように設置する。
【００２１】
ワイヤロープＲがウインチＷに達するまで、巻胴２の制動部６のバンドブレーキ７は緩めた状態にしておく。巻き込み開始後、バンドブレーキ７の先端部に取付けたターンバックル１２を締め付けることにより制動力の調節ができるようになっている。
【００２２】
ウインチＷを駆動すると、ワイヤロープＲは巻き取られていくが、その際、巻胴２の制動部６，６に巻きつけたバンドブレーキ７，７によって制動を加えることにより、巻胴２とワイヤロープＲとの摩擦が増大すると共に、巻胴２の中央部が両側部より小径となっているため、数回巻回させたワイヤロープＲはウインチＷの引張力が作用して中央部に集中し、それによって巻回させた互いに隣接するワイヤロープＲ同士が強固に接触して制動作用が働く。
【００２３】
ウインチＷの張力を巻胴２で受けてワイヤロープＲを巻いてあるドラムＤ側にウインチＷの引張力が直接伝わらなくなり、そのためにワイヤロープＲを巻いてあるドラムＤの下層に食い込むようなことがなく、またドラムＤのワイヤロープＲが乱巻きになることがない。
【００２４】
所定のテンションが得られないときには、テンション装置１の巻胴２の回転軸１１を軸受け１０から外し、ワイヤロープＲの巻きつけ本数を増減することにより調整することができる。
【００２５】
図６に示すものは、本発明の第２実施の形態を示すもので、上記第１実施の形態と相違しているのは、ウインチＷが斜め上方部や上方部（図示せず）にある場合に、ロープ巻き込み時にテンション装置１が持ち上げられるのを阻止するために、テンション装置１の引き出し側の基台フレーム８にウエイト板１５を数枚重合した点が相違しているだけで、他の点は何ら変わることがないことから、同一部分には同一符号を付し、同一部分の構成の説明は省略する。
【００２６】
この第２実施の形態によれば、基台フレーム８の引き出し側にウエイト板１５を複数枚重ねて重くしたことによりウインチＷが上方位置にあったとしても、テンション装置１が浮き上がって持ち上がることなくスムーズに巻き込んでいくものである。
【００２７】
以上、本発明の主要な実施の形態について説明したが、本発明は、上記実施の形態に限定されるものではなく、本発明の目的を達成でき、かつ本発明の要旨を逸脱しない範囲内で種々の設計変更が可能である。
【産業上の利用可能性】
【００２８】
本発明は、油圧クレーン等の建設機械に搭載されるロープウインチのドラムに新品のワイヤロープを巻き付けるのに限るものではなく、油圧以外の作業機械あるいは船舶用ウインチリールなどへの巻き取りにも有効である。
【図面の簡単な説明】
【００２９】
【図１】本発明の第１実施の形態を示すテンション装置の正面図である。
【図２】その側面図である。
【図３】その平面図である。
【図４】巻胴の一部拡大図である。
【図５】使用状態を示す斜視図である。
【図６】本発明の第２実施の形態を示すテンション装置の正面図である。
【符号の説明】
【００３０】
１    テンション装置
２    巻胴
３    谷底
４    フランジ
５    傾斜面
６    制動部
７    バンドブレーキ
１２  ターンバックル
１４  ガイド装置
Ｒ    ワイヤロープ
Ｄ    ドラム
Ｗ    ウインチ  
【図１】
2007191233.tif 000003
【図２】
2007191233.tif 000004
【図３】
2007191233.tif 000005
【図４】
2007191233.tif 000006
【図５】
2007191233.tif 000007
【図６】
2007191233.tif 000008